(57)【特許請求の範囲】
【請求項１】
三相または単相３線交流電路の３線のうち２線に設ける独立した２つの変流器の２次出力回路間にダイオードを互いに逆向きに設けるとともに、前記変流器の表面に、相色識別と電源側の極性識別とを施し且つ、変流器の２次出力を一つの脱着容易なコネクタにて接続した変流器部と、脱着容易なコネクタによって構成され前記２つの変流器のそれぞれから電流が入力される電流入力部および前記交流電路の３線のそれぞれから電圧が入力される電圧入力部を備えた電力量計部と、前記変流器部と前記電流入力部とを接続する両端をコネクタとした専用電流配線ケーブルと、前記交流電路の各線と前記電圧入力部とを接続する電圧入力ケーブルとで構成した電力量計量装置であって、前記電圧入力ケーブルに挿入され、当該電圧入力ケーブルの線間の配線替を行う作業時に当該電圧入力ケーブルの両端間の電気的開閉を開に手操作されるスイッチを設ける電力量計量装置。
【発明の詳細な説明】
【０００１】
【発明の属する技術分野】
本発明は、三相または単相３線交流電路に設置される電力量計量装置に関するものである。
【０００２】
【従来の技術】
図５は、従来の電流計と電力量計と変流器を用いて電流と電力量を計測、計量する構成図である。以下、その構成について、図を参照しながら説明する。
【０００３】
三相または単相３線交流電路１の電流や電力量を計測、計量する場合、２相に独立した個別の変流器２４，２５を設置するとともに、配線３４は変流器からの出力を電力量計５の電流入力端子５１に配線３４にて接続し、また電力量計５には各相電圧が電圧入力端子５２に入力するように配線３５にてスイッチ３６を介して接続されていた。
【０００４】
【発明が解決しようとする課題】
変流器の設置に関しては、その設置相及びＫ側／Ｌ側を正しくあわせて設置することが重要である。次に、変流器２４，２５と電力量計５との配線に関しては、変流器２４，２５の２次出力の極性ｋ，lを電力量計５の入力端子記号に合わせて正しく配線することが重要である。しかし実際に現場で変流器２４，２５や電力量計５の設置及び配線工事を実施する場合、これらを正しく設置したり配線したりすることは容易でなく、且つその間違いも負荷を動かして電力量計が計量を示して初めて発見されるが、一般的に工事完了後停電が出来ない場合が多く、結線間違いがあった場合その間違いを正すことは非常に困難である。
【０００５】
本発明は、上記課題を解決するもので、変流器の設置に関して間違いの少ない構成とするとともに、変流器と電力量計との電流回路の配線に関しては間違いが無いようにし、且つ配線間違いが有った場合にも変流器２次開放を保護し、活線で容易に間違いを正すことが可能な方法を提供することを目的としている。
【０００６】
【課題を解決するための手段】
本発明は上記目的を達成するために、三相または単相３線交流電路の３線のうち２線に設ける独立した２つの変流器の２次出力回路間にダイオードを互いに逆向きに設けるとともに、前記変流器の表面に、相色識別と電源側の極性識別とを施し且つ、変流器の２次出力を一つの脱着容易なコネクタにて接続した変流器部と、脱着容易なコネクタによって構成され前記２つの変流器のそれぞれから電流が入力される電流入力部および前記交流電路の３線のそれぞれから電圧が入力される電圧入力部を備えた電力量計部と、前記変流器部と前記電流入力部とを接続する両端をコネクタとした専用電流配線ケーブルと、前記交流電路の各線と前記電圧入力部とを接続する電圧入力ケーブルとで構成した電力量計量装置であって、前記電圧入力ケーブルに挿入され、当該電圧入力ケーブルの線間の配線替を行う作業時に当該電圧入力ケーブルの両端間の電気的開閉を開に手操作されるスイッチを設けるものである。
【０００７】
【発明の実施の形態】
本発明は、上記した構成により、被計測電線のR相とT相とに容易に変流器を正しく配置でき、更に2個の変流器の２次側配線を一つの接続部とすることで電力量計部とを配線ケーブル部によって接続できるよう構成しているため、容易に間違いのない配線作業ができるという作用を有する。また、電力量計量装置は、変流器部と電力量計部と配線ケーブル部とより構成されるため、活線状態で間違いを正すことを可能とする作用を有する。
【０００８】
以下、本実施の形態について、図面１〜４を参照しながら説明する。
（実施の形態）
図１のように三相交流電路である被計測電路１のＲ相とＴ相に、電流計測用変流器部２を配置し前記変流器部2と電力量計部４の電流入力部４１間を専用電流配線ケーブル３とで構成し、そして変流器部２は、Ｒ相用変流器２１と、Ｔ相用変流器２２と同それぞれの変流器の２次出力をその出力特性ｋ，lを脱着容易な１つのコネクタ２３に結線するとともに、さらにそれぞれの変流器の２次出力間には、ダイオードを２１１，２２１のように互いに逆向きに設けてある。次に、図２に示すように、それぞれの変流器２１，２２の表面にはＲ相用変流器についてはＲ相表現が明確となる赤色の相色色別２１３並びにＫ側には電源側判別が容易となる電源別極性識別２１２を、またＴ相用変流器については、Ｔ相表現が明確となる青色の相色色別２２３並びにＫ側には電源側判別が容易となる電源側極性識別２２２を施す。
【０００９】
次に電力量計部４は、電流入力部４１をコネクタとし一方電圧入力部４２についてはコネクタまたはネジ止め端子にて構成されている。一方前記被計測電路１と変流器部２と電力量計部４との配線は変流器部２と電力量計部４の電流入力部４１間は専用の電流配線ケーブル３にて接続され電力量計部４の電圧入力部については被計測電路１からの各相電圧をスイッチ３６を介して入力されるものである。ここで前記専用電流配線ケーブル３は、当然ながらその両端には変流器部２のコネクタ２３と電力量計部４の電流入力部コネクタ４１に合致するコネクタ３１及び３３が設けられている。
【００１０】
以上の構成における変流器部２中のダイオード２１１，２２１は変流器２１，２２の２次開放時保護を目的として変流器側に設けられたもので、正常な状態に接続されているときは変流器出力電圧はダイオード特性の高抵抗領域で使用されるように設けられている。
【００１１】
次に、以上の構成において変流器の被計測電路への設置の際、変流器の極性を間違えた場合について図３を用いて説明する。
【００１２】
図は被計測電路のＴ相に設置する変流器の電源側極性を誤って被計測電路の負荷側に設置した状態を示す。
【００１３】
このような場合、変流器部２の各変流器にはダイオードにより２次開放時の保護が施されているので、被計測電路１を停電すること無く、専用電流配線ケーブル３を変流器部２より取り外し、変流器２２の極性ｋ，lが逆になったことに対応して専用電流配線ケーブル３のコネクタ３１とケーブル３２の接続部において上記極性を逆とした専用電流配線ケーブル７を用いて変流器部２と電力量計部４を再接続することにより、容易に配線替えを行うことができる。したがって、被計測電路を停電すること無く容易に安全な作業を行うことができる。
【００１４】
また、誤って変流器の被計測電路への設置相を間違えた場合について図４とともに説明する。
【００１５】
図は、Ｔ相に設置すべき変流器をＳ相に設置した状態を示す。
変流器部２から専用電流配線ケーブル３を通じて電力量計部４に送られる電流の入力は、Ｔ相に設置すべき変流器２２がＳ相に設置されたため、Ｔ相分としてＳ相の電流情報が送られている。このため入力電流と入力電圧の相がずれることにより電力量が正しく計測できなくなるが、スイッチ３６を開とすれば、被計測電路１を停電すること無く電力量計部３への電圧入力ケーブル３５のＴ相とＳ相の配線替を容易に行うことが出来き、正しく電力量を計測できる。
【００１６】
【発明の効果】
以上の説明から明らかなように、本発明の電力量計測装置は、変流器部と電力量計部と専用電流配線ケーブルとより構成され、これらの間の配線接続を脱着容易なコネクタを用いて行う事によって、容易に間違いなく配線作業を行える効果がある。
【００１７】
また、変流器部において、各変流器の表面に相色識別と電源側の極性識別とを施しているので、被計測電線のR相とT相とに容易に変流器を正しく配置でき、更に2個の変流器の２次出力を一つの脱着容易なコネクタにて接続しているので、２次出力の配線間違いのない作業ができる。また、電力量計量装置は、変流器部と電力量計部と専用電流配線ケーブルと電圧入力ケーブルとスイッチとで構成されるため、万一、変流器の設置間違いがあったり、電力量計部の保守、点検に対しても活線状態で安全に簡単に配線替え又は取り外しを行うことが出来る。
【図面の簡単な説明】
【図１】本発明の変流器と専用ケーブルと電力量計の構成図
【図２】本発明の変流器単体部の正面図
【図３】変流器の極性方向を間違った説明図
【図４】変流器の設置相を間違った説明図
【図５】従来の実施例における変流器と配線ケーブルと電力量計の構成図
【符号の説明】
１      被計測電路
２      変流器部
２１    Ｒ相用変流器
２１１  ダイオード
２１２  Ｒ相用電源側の極性識別
２１３  Ｒ相用相色識別
２２    Ｔ相用変流器
２２１  ダイオード
２２２  Ｔ相用電源側の極性識別
２２３  Ｒ相用相色色別
２３    コネクタ
２４    Ｒ相用変流器
２５    Ｔ相用変流器
２６    端子台
３      専用電流配線ケーブル部
３１    コネクタ
３２    ケーブル
３３    コネクタ
３４    電流入力配線
３５    電圧入力配線
３６    スイッチ
４      電力量計部
４１    電流入力コネクタ
４２    電圧入力コネクタ
５      電力量計
５１    電流入力端子
５２    電圧入力端子
７      専用配線ケーブル
【図１】
0004291434.tif 000002
【図２】
0004291434.tif 000003
【図３】
0004291434.tif 000004
【図４】
0004291434.tif 000005
【図５】
0004291434.tif 000006